(57)【特許請求の範囲】
【請求項１】
棒状部材にブレースを固定するための固定具であって、
前記ブレースに固定される可動部材と、
前記可動部材に軸部材を介して回動自在に取付けられ、前記棒状部材の外周面が係合する半円筒状凹部が形成される固定部材と、
前記固定部材に前記軸部材を介して回動自在に取付けられ、前記半円筒状凹部に嵌め込まれた前記棒状部材を前記固定部材と共に把持する押え部を有するカバー部材と、
前記カバー部材において、前記軸部材に関して前記押え部とは反対側に形成された突起部と、
前記カバー部材に固定される板バネ部材とを備え、
前記突起部に連結された紐体を引っ張ることにより、前記カバー部材が前記固定部材に対して相対的に回動し、前記押え部と前記固定部材が前記棒状部材を把持した状態において、前記板バネ部材が前記固定部材に形成された凹み部に係止することにより、前記カバー部材が前記固定部材に固定されることを特徴とする固定具。
【請求項２】
前記固定部材は、前記軸部材に回動自在に支持される板状の本体と、前記半円筒状凹部に関して前記本体とは反対側に設けられ、前記本体に対して垂直方向に延びる係止板とを有し、前記係止板には、前記カバー部材が嵌まり込む第１の切欠きが形成されることを特徴とする請求項１に記載の固定具。
【請求項３】
前記カバー部材には、前記第１の切欠きに嵌まり込む第２の切欠きが形成されることを特徴とする請求項２に記載の固定具。
【請求項４】
前記押え部には、前記第２の切欠きに沿って延びる第１の隆起部と、前記第１の隆起部とは垂直方向に延びる第２の隆起部とが形成されることを特徴とする請求項３に記載の固定具。
【請求項５】
前記板バネ部材は、上記軸部材に固定される固定部と、前記固定部から前記軸部材の径方向に延び、前記凹み部に係止可能な脚部とを有することを特徴とする請求項１に記載の固定具。
【請求項６】
前記突起部は、前記カバー部材に対して垂直方向に延び、紐体が係合するための鉤型を有することを特徴とする請求項１に記載の固定具。
【発明の詳細な説明】
【技術分野】
【０００１】
本発明は、吊りボルトにブレースを固定するための固定具に関する。
【背景技術】
【０００２】
従来建築物の天井の構造として、天井スラブに所定間隔ごとに設けられて鉛直方向に延びる吊りボルトの下端部に野縁受けを取付け、野縁受けに野縁を取付けて格子状に配置し、野縁にボードを張り付けて構成されるものが知られている。このような構成において、天井の耐震強度を向上させるため、隣接する２本の吊りボルトの間をブレースにより連結する構造が提案されている（特許文献１）。すなわち、一方の吊りボルトの上端付近にブレースの上端に連結された固定具を取付け、ブレースの下端を他方の吊りボルトに固定するものである。
【先行技術文献】
【特許文献】
【０００３】
【特許文献１】特開２００８−１１１２９２号公報
【発明の概要】
【発明が解決しようとする課題】
【０００４】
上述した従来の天井の施工において、吊りボルトに固定具を取付ける作業は、取付け位置が床面から例えば３ｍ程度の高さであるため困難であり、作業者は脚立を使用したり、特別な治具を用意する等、種々の工夫が必要であった。
【０００５】
本発明は、作業者が床面に立った状態で吊りボルトへの取付け作業を簡単に行うことができる固定具を提供すること目的としている。
【課題を解決するための手段】
【０００６】
本発明に係る固定具は、ブレースに固定される可動部材と、可動部材に軸部材を介して回動自在に取付けられ、棒状部材の外周面が係合する半円筒状凹部が形成される固定部材と、固定部材に軸部材を介して回動自在に取付けられ、半円筒状凹部に嵌め込まれた棒状部材を固定部材と共に把持する押え部を有するカバー部材と、カバー部材において、軸部材に関して押え部とは反対側に形成された突起部と、カバー部材に固定される板バネ部材とを備え、突起部に連結された紐体を引っ張ることにより、カバー部材が固定部材に対して相対的に回動し、押え部と固定部材が棒状部材を把持した状態において、板バネ部材が固定部材に形成された凹み部に係止することにより、カバー部材が固定部材に固定されることを特徴としている。
【０００７】
固定部材は例えば、軸部材に回動自在に支持される板状の本体と、半円筒状凹部に関して本体とは反対側に設けられ、本体に対して垂直方向に延びる係止板とを有し、係止板には、カバー部材が嵌まり込む第１の切欠きが形成される。この構成において、カバー部材には、第１の切欠きに嵌まり込む第２の切欠きが形成されてもよい。さらに、押え部には、第２の切欠きに沿って延びる第１の隆起部と、第１の隆起部とは垂直方向に延びる第２の隆起部とが形成されてもよい。
【０００８】
好ましくは、板バネ部材は、軸部材に固定される固定部と、固定部から軸部材の径方向に延び、凹み部に係止可能な脚部とを有する。また好ましくは、突起部は、カバー部材に対して垂直方向に延び、紐体が係合するための鉤型を有する。
【発明の効果】
【０００９】
本発明に係る固定具を用いれば、作業者は床面に立った状態で吊りボルトへの取付け作業を簡単に行うことができる。
【図面の簡単な説明】
【００１０】
【図１】本発明の一実施形態である固定具を用いた天井の構造を示す図である。
【図２】固定具を分解して示す斜視図である。
【図３】ブレースの先端に取付けられた固定具を吊りボルトに係合させる状態を示す斜視図である。
【図４】固定具が吊りボルトに固定された状態を示す斜視図である。
【図５】図３の状態における固定部材とカバー部材と板バネ部材を示す図である。
【図６】固定部材に対してカバー部材が相対回転し始めた状態を示す図である。
【図７】図４の状態における固定部材とカバー部材と板バネ部材を示す図である。
【発明を実施するための形態】
【００１１】
以下、図面を参照して本発明の実施形態を説明する。
図１は天井の構造を示し、天井スラブ１１には吊りボルト（棒状部材）１２、１２’が所定間隔毎に設けられている。吊りボルト１２は鉛直下方に延び、その下端部には野縁受け１３がハンガー１４を介して固定される。野縁受け１３の下側には野縁１５が設けられ、野縁１５の下面には天井石膏ボード１６が張り付けられる。
【００１２】
天井の耐震強度を向上させるため、隣り合う２本の吊りボルト１２、１２’は、水平補強材１７とブレース（斜め補強材）１８によって連結される。水平補強材１７はハンガー１４に連結され、水平補強材１７と野縁受け１３は補強金具１９により連結される。ブレース１８の上端部は固定具２０を介して吊りボルト１２の上端部に取付けられ、ブレース１８の下端部は、吊りボルト１２の隣に位置する吊りボルト１２’の下端部近傍の水平補強材１７に固定される。
【００１３】
図２に示すように、固定具２０は基本的に５個の部品から構成される。すなわち固定具２０は、可動部材３０に固定部材４０とカバー部材５０と板バネ部材６０を重ね合わせ、これらをカシメピン（軸部材）７０により結合して構成される。可動部材３０と固定部材４０とカバー部材５０はそれぞれ、比較的厚い金属板を折り曲げて成形される。板バネ部材６０は、可動部材３０、固定部材４０、カバー部材５０よりも薄い金属板を折り曲げて成形される。
【００１４】
可動部材３０は、ブレース１８と略同じ幅（図において上下方向）を有する本体３１と、本体３１の長手方向に沿って形成され、本体３１に対して垂直方向に折り曲げられた側面部３２とを有する。本体３１と側面部３２には、可動部材３０をブレース１８に固定するためのボルトが貫通する複数の孔３３が形成される。また本体３１には、カシメピン７０を挿通させるための回転中心孔３４が形成される。
【００１５】
固定部材４０は、板状の本体４１と、本体４１に接続する湾曲部４２と、湾曲部４２に関して本体４１とは反対側に接続する係止板４３とを有する。本体４１にはカシメピン７０を挿通させるための回転中心孔４４が形成される。すなわち本体４１はカシメピン７０を介して可動部材３０に回動自在に取付けられ、本体４１において湾曲部４２とは反対側にある縁部４１ａは、回転中心孔４４を中心とする半円形状を呈する。縁部４１ａには、板バネ部材６０が係止可能な第１および第２の凹み部４５、４６が形成される。湾曲部４２の内周壁面は、吊りボルト１２の外周面が係合する半円筒状凹部４７であり、吊りボルト１２の雄ネジが係合可能な雌ネジ４７ａが形成される。係止板４３は本体４１に対して垂直方向に延び、係止板４３には、カバー部材５０が嵌まり込む第１の切欠き４８が形成される。
【００１６】
カバー部材５０にはカシメピン７０を挿通させるための回転中心孔５１が形成され、カバー部材５０はカシメピン７０を介して固定部材４０に回動自在に取付けられる。カバー部材５０は、固定部材４０に形成された第１の切欠き４８に嵌まり込む第２の切欠き５２が形成された押え部５３を有する。押え部５３は後述するように、第１の切欠き４８に第２の切欠き５２が嵌まり込んだ状態において、半円筒状凹部４７に嵌め込まれた吊りボルト１２を、固定部材４０と共に把持する。押え部５３は全体的に平板であるが、部分的に隆起してＬ字形状を呈する第１および第２の隆起部５４、５５が形成される。第１の隆起部５４は第２の切欠き５２に沿って延び、第２の隆起部５５は第１の隆起部５４に対して垂直方向に延びる。
【００１７】
カバー部材５０において、カシメピン７０に関して押え部５３とは反対側には突起部５６が形成される。突起部５６はカバー部材５０に対して垂直方向に延び、紐体が係合するための鉤型を有する。カバー部材５０において、第２の隆起部５５の先端の近傍には、回転中心孔５１に向かって延びる第３の切欠き５７が形成される。第３の切欠き５７には板バネ部材６０が常時係合する。
【００１８】
板バネ部材６０は、カシメピン７０を挿通させるための回転中心孔６１が形成された固定部６２と、固定部６２からカシメピン７０の径方向に延びる脚部６３とを有する。カシメピン７０は、可動部材３０側から各回転中心孔３４、４４、５１、６１に挿入され、固定部６２から突出した端部７１（図３、４参照）が加締められ、これにより板バネ部材６０はカバー部材５０に固定される。脚部６３は、固定部６２に対してカバー部材５０の側に折曲され、切欠き５７に常時係合する。これにより板バネ部材６０はカバー部材５０と常に一体的に回動する。脚部６３は、カバー部材５０の固定部材４０に対する相対回転位置に応じて、第１の凹み部４５または第２の凹み部４６に係止可能である。また脚部６３の先端６３ａは上方、すなわち固定部６２側に折曲されている。
【００１９】
次に図３〜７を参照して本実施形態の作用を説明する。
図３はブレース１８の先端に取付けられた固定具２０を吊りボルト１２に係合させる状態を示し、図４は固定具２０が吊りボルト１２に固定された状態を示している。図５（ａ）、（ｂ）は、図３の状態における固定部材４０とカバー部材５０と板バネ部材６０を示し、図５（ｂ）は図５（ａ）のＢ−Ｂ線に沿う矢視断面図である。図６（ａ）、（ｂ）は固定部材４０に対してカバー部材５０が相対回転し始めた状態を示し、図６（ｂ）は図６（ａ）のＢ−Ｂ線に沿う矢視断面図である。図７（ａ）、（ｂ）は、図４の状態における固定部材４０とカバー部材５０と板バネ部材６０を示し、図７（ｂ）は図７（ａ）のＢ−Ｂ線に沿う矢視断面図である。
【００２０】
図３、５に示されるように、固定部材４０とカバー部材５０は、板バネ部材６０の脚部６３が固定部材４０の第１の凹み部４５に係止することにより一体的に結合され、可動部材３０とブレース１８に対して相対的に回動自在である。また、脚部６３が第１の凹み部４５に係止した状態において、固定部材４０の半円筒状凹部４７は完全に開放され、押え部５３は半円筒状凹部４７に干渉していない。突起部５６には予め紐体Ｓが取付けられており、作業者は、ブレース１８を所定の傾斜角に保持しつつ、紐体Ｓを介して固定部材４０とカバー部材５０をブレース１８に対して回動させることができる。すなわち作業者は、半円筒状凹部４７を吊りボルト１２の軸方向に合わせて吊りボルト１２に係合させ、次いで紐体Ｓを手前に引っ張り、これにより、図６に示されるように板バネ部材６０の脚部６３が第１の凹み部４５から外れ、カバー部材５０は固定部材４０に対して相対回転し始める。
【００２１】
作業者が、図６の状態からさらに紐体Ｓを引っ張ることにより、カバー部材５０は固定部材４０に対してさらに回転し、押え部５３が半円筒状凹部４７を閉塞すると、半円筒状凹部４７に嵌め込まれた吊りボルト１２は、固定部材４０とカバー部材５０の押え部５３とによって把持される。この状態において、カバー部材５０に形成された第２の切欠き５２が固定部材４０の係止板４３に形成された第１の切欠き４８に嵌まり込み、カバー部材５０と係止板４３は強固に固定される。また板バネ部材６０の脚部６３は固定部材４０に設けられた第２の凹み部４６に係止しており、脚部６３が第２の凹み部４６から解放されない限り、カバー部材５０は固定部材４０に対して相対回転することはない。
【００２２】
その後、紐体Ｓを突起部５６から取外すとともに、ブレース１８の下端部（図示せず）を所定の位置に固定することにより、ブレース１８の吊りボルトに対する取付け工事は完了する。
【００２３】
以上のように本実施形態では、突起部５６に連結された紐体Ｓを引っ張ることにより、カバー部材５０が固定部材４０に対して相対的に回動し、押え部５３と固定部材４０が吊りボルト１２を把持した状態になる。この状態において、板バネ部材６０の脚部６３は固定部材４０に形成された第２の凹み部４６に係止するので、カバー部材５０は固定部材４０に強固に固定され、固定部材４０から簡単には外れない。
【００２４】
このように固定具２０の吊りボルト１２への取付け作業は、突起部５６に紐体Ｓを連結して行われ、従来のように作業者が脚立に乗って作業する必要はなく、床面に立った状態で簡単に行うことができる。
【００２５】
またカバー部材５０には第２の切欠き５２が形成されるが、押え部５３には、第２の切欠き５２に沿って延びる第１の隆起部５４と、第１の隆起部５４に直交する方向に延びる第２の隆起部５５とが形成されているので、第２の切欠き５２によって低下する強度性能が補償される。
【符号の説明】
【００２６】
１２  吊りボルト（棒状部材）
１８  ブレース
２０  固定具
３０  可動部材
４０  固定部材
４６  凹み部
４７  半円筒状凹部
５０  カバー部材
５３  押え部
５６  突起部
６０  板バネ部材
Ｓ  紐体
【図１】
0006469502.tif 000002
【図２】
0006469502.tif 000003
【図３】
0006469502.tif 000004
【図４】
0006469502.tif 000005
【図５】
0006469502.tif 000006
【図６】
0006469502.tif 000007
【図７】
0006469502.tif 000008